【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
内燃機関のシリンダライナの摺動面のｐＨ値を検出するｐＨ検出手段と、
ｐＨ調整剤を送給する調整剤送給手段と、
前記調整剤送給手段と前記摺動面とを接続する調整剤供給路と、
前記摺動面へのｐＨ調整剤の供給量を調整する調整剤供給量調整手段と、
前記潤滑油供給路に設けられた潤滑油流量検出手段と、
制御手段とを備え、
前記制御手段は、
前記ｐＨ検出手段の検出結果と前記潤滑油流量検出手段の検出結果とに基づいて、前記摺動面のｐＨ値が適正範囲に収まるように前記ｐＨ調整剤の供給量を設定する調整剤供給量設定部と、
前記調整剤供給量設定部により設定された前記供給量の前記ｐＨ調整剤を前記摺動面に供給できるように、前記調整剤供給量調整手段の作動を制御する調整剤調整手段制御部とを備えた
ことを特徴とする、内燃機関のシリンダライナ摺動面のｐＨ調整装置。
【請求項２】
内燃機関のシリンダライナの摺動面に潤滑油を供給する内燃機関のシリンダ注油装置であって、
前記潤滑油を送給する潤滑油送給手段と、
前記潤滑油送給手段と前記シリンダライナの前記摺動面とを接続する潤滑油供給路と、
前記摺動面のｐＨ値を検出するｐＨ検出手段と、
ｐＨ調整剤を送給する調整剤送給手段と、
前記調整剤送給手段と前記潤滑油供給路とを接続する調整剤流路と、
前記潤滑油供給路へのｐＨ調整剤の供給量を調整する調整剤供給量調整手段と、
前記潤滑油供給路に設けられた潤滑油流量検出手段と、
制御手段とを備え、
前記制御手段は、
前記ｐＨ検出手段の検出結果と前記潤滑油流量検出手段の検出結果とに基づいて、前記摺動面のｐＨ値が適正範囲に収まるように前記ｐＨ調整剤の供給量を設定する調整剤供給量設定部と、
前記調整剤供給量設定部により設定された前記供給量の前記ｐＨ調整剤を前記摺動面に供給できるように、前記調整剤供給量調整手段の作動を制御する調整剤調整手段制御部とを備えた
ことを特徴とする内燃機関のシリンダ注油装置。
【請求項３】
前記摺動面への前記潤滑油の供給量を調整する潤滑油供給量調整手段と、
前記摺動面に形成された前記潤滑油の油膜厚さを検出する油膜厚さ検出手段とを備え、
前記制御手段は、
前記油膜厚さ検出手段の検出結果に基づいて、前記油膜厚さが適正範囲に収まるように前記潤滑油の供給量を設定する潤滑油供給量設定部と、
前記潤滑油供給量設定部により設定された前記供給量の前記潤滑油を前記摺動面に供給できるように、前記潤滑油供給量調整手段を制御する、潤滑油調整手段制御部とを有することを特徴とする、請求項２記載の内燃機関のシリンダ注油装置。
【請求項４】
内燃機関のシリンダライナの摺動面のｐＨ値を検出するｐＨ検出手段と、
ｐＨ調整剤を送給する調整剤送給手段と、
前記調整剤送給手段と前記摺動面とを接続する調整剤供給路と、
前記摺動面へのｐＨ調整剤の供給量を調整する調整剤供給量調整手段と、
前記摺動面に形成された潤滑油の油膜厚さを検出する油膜厚さ検出手段と、
制御手段とを備え、
前記制御手段は、
前記ｐＨ検出手段の検出結果と前記油膜厚さ検出手段の検出結果とに基づいて、前記摺動面のｐＨ値が適正範囲に収まるように前記ｐＨ調整剤の供給量を設定する調整剤供給量設定部と、
前記調整剤供給量設定部により設定された前記供給量の前記ｐＨ調整剤を前記摺動面に供給できるように、前記調整剤供給量調整手段の作動を制御する調整剤調整手段制御部とを備えた、
ことを特徴とする、内燃機関のシリンダライナ摺動面のｐＨ調整装置。
【請求項５】
内燃機関のシリンダライナの摺動面に潤滑油を供給する内燃機関のシリンダ注油装置であって、
前記潤滑油を送給する潤滑油送給手段と、
前記潤滑油送給手段と前記摺動面とを接続する潤滑油供給路と、
前記摺動面のｐＨ値を検出するｐＨ検出手段と、
ｐＨ調整剤を送給する調整剤送給手段と、
前記調整剤送給手段と前記潤滑油供給路とを接続する調整剤流路と、
前記潤滑油供給路へのｐＨ調整剤の供給量を調整する調整剤供給量調整手段と、
前記摺動面に形成された前記潤滑油の油膜厚さを検出する油膜厚さ検出手段と、
制御手段とを備え、
前記制御手段は、
前記ｐＨ検出手段の検出結果と前記油膜厚さ検出手段の検出結果とに基づいて、前記摺動面のｐＨ値が適正範囲に収まるように前記ｐＨ調整剤の供給量を設定する調整剤供給量設定部と、
前記調整剤供給量設定部により設定された前記供給量の前記ｐＨ調整剤を前記摺動面に供給できるように、前記調整剤供給量調整手段の作動を制御する調整剤調整手段制御部とを備えた、
ことを特徴とする内燃機関のシリンダ注油装置。
【請求項６】
前記摺動面への前記潤滑油の供給量を調整する潤滑油供給量調整手段を備え、
前記制御手段は、
前記油膜厚さ検出手段の検出結果に基づいて、前記油膜厚さが適正範囲に収まるように前記潤滑油の供給量を設定する潤滑油供給量設定部と、
前記潤滑油供給量設定部により設定された前記供給量の前記潤滑油を前記摺動面に供給できるように、前記潤滑油供給量調整手段を制御する、潤滑油調整手段制御部とを有する
ことを特徴とする、請求項５記載の内燃機関のシリンダ注油装置。
【請求項７】
請求項１又は４に記載の内燃機関のシリンダライナ摺動面のｐＨ調整装置又は請求項２，３，５，６の何れか１項に記載の内燃機関のシリンダ注油装置を備えた
ことを特徴とする、内燃機関。
【手続補正２】
【補正対象書類名】明細書
【補正対象項目名】００１１
【補正方法】変更
【補正の内容】
【００１１】
（１）上記の目的を達成するために、本発明の内燃機関のシリンダライナ摺動面のｐＨ調整注油装置は、内燃機関のシリンダライナの摺動面のｐＨ値を検出するｐＨ検出手段と、ｐＨ調整剤を送給する調整剤送給手段と、前記調整剤送給手段と前記摺動面とを接続する調整剤供給路と、前記摺動面へのｐＨ調整剤の供給量を調整する調整剤供給量調整手段と、前記潤滑油供給路に設けられた潤滑油流量検出手段と、制御手段とを備え、前記制御手段は、前記ｐＨ検出手段と前記潤滑油流量検出手段の検出結果との検出結果に基づいて、前記摺動面のｐＨ値が適正範囲に収まるように前記ｐＨ調整剤の供給量を設定する調整剤供給量設定部と、前記調整剤供給量設定部により設定された前記供給量の前記ｐＨ調整剤を前記摺動面に供給できるように、前記調整剤供給量調整手段の作動を制御する調整剤調整手段制御部とを備えたことを特徴としている。
【手続補正３】
【補正対象書類名】明細書
【補正対象項目名】００１２
【補正方法】変更
【補正の内容】
【００１２】
（２）上記の目的を達成するために、本発明の内燃機関のシリンダ注油装置は、内燃機関のシリンダライナの摺動面に潤滑油を供給する内燃機関のシリンダ注油装置であって、前記潤滑油を送給する潤滑油送給手段と、前記潤滑油送給手段と前記シリンダライナの前記摺動面とを接続する潤滑油供給路と、前記摺動面のｐＨ値を検出するｐＨ検出手段と、ｐＨ調整剤を送給する調整剤送給手段と、前記調整剤送給手段と前記潤滑油供給路とを接続する調整剤流路と、前記潤滑油供給路へのｐＨ調整剤の供給量を調整する調整剤供給量調整手段と、前記潤滑油供給路に設けられた潤滑油流量検出手段と、制御手段とを備え、前記制御手段は、前記ｐＨ検出手段の検出結果と前記潤滑油流量検出手段の検出結果とに基づいて、前記摺動面のｐＨ値が適正範囲に収まるように前記ｐＨ調整剤の供給量を設定する調整剤供給量設定部と、前記調整剤供給量設定部により設定された前記供給量の前記ｐＨ調整剤を前記摺動面に供給できるように、前記調整剤供給量調整手段の作動を制御する調整剤調整手段制御部とを備えたことを特徴としている。
【手続補正４】
【補正対象書類名】明細書
【補正対象項目名】００１４
【補正方法】変更
【補正の内容】
【００１４】
（４）本発明の内燃機関のシリンダライナ摺動面のｐＨ調整装置は、内燃機関のシリンダライナの摺動面のｐＨ値を検出するｐＨ検出手段と、ｐＨ調整剤を送給する調整剤送給手段と、前記調整剤送給手段と前記摺動面とを接続する調整剤供給路と、前記摺動面へのｐＨ調整剤の供給量を調整する調整剤供給量調整手段と、前記摺動面に形成された潤滑油の油膜厚さを検出する油膜厚さ検出手段と、制御手段とを備え、前記制御手段は、前記ｐＨ検出手段の検出結果と前記油膜厚さ検出手段の検出結果とに基づいて、前記摺動面のｐＨ値が適正範囲に収まるように前記ｐＨ調整剤の供給量を設定する調整剤供給量設定部と、
前記調整剤供給量設定部により設定された前記供給量の前記ｐＨ調整剤を前記摺動面に供給できるように、前記調整剤供給量調整手段の作動を制御する調整剤調整手段制御部とを備えたことを特徴としている。
（５）本発明の内燃機関のシリンダ注油装置は、内燃機関のシリンダライナの摺動面に潤滑油を供給する内燃機関のシリンダ注油装置であって、前記潤滑油を送給する潤滑油送給手段と、前記潤滑油送給手段と前記摺動面とを接続する潤滑油供給路と、前記摺動面のｐＨ値を検出するｐＨ検出手段と、ｐＨ調整剤を送給する調整剤送給手段と、前記調整剤送給手段と前記潤滑油供給路とを接続する調整剤流路と、前記潤滑油供給路へのｐＨ調整剤の供給量を調整する調整剤供給量調整手段と、前記摺動面に形成された前記潤滑油の油膜厚さを検出する油膜厚さ検出手段と、制御手段とを備え、前記制御手段は、前記ｐＨ検出手段の検出結果と前記油膜厚さ検出手段の検出結果とに基づいて、前記摺動面のｐＨ値が適正範囲に収まるように前記ｐＨ調整剤の供給量を設定する調整剤供給量設定部と、前記調整剤供給量設定部により設定された前記供給量の前記ｐＨ調整剤を前記摺動面に供給できるように、前記調整剤供給量調整手段の作動を制御する調整剤調整手段制御部とを備えたことを特徴としている。
（６）前記摺動面への前記潤滑油の供給量を調整する潤滑油供給量調整手段を備え、前記制御手段は、前記油膜厚さ検出手段の検出結果に基づいて、前記油膜厚さが適正範囲に収まるように前記潤滑油の供給量を設定する潤滑油供給量設定部と、前記潤滑油供給量設定部により設定された前記供給量の前記潤滑油を前記摺動面に供給できるように、前記潤滑油供給量調整手段を制御する、潤滑油調整手段制御部とを有することが好ましい。
【手続補正５】
【補正対象書類名】明細書
【補正対象項目名】００１５
【補正方法】変更
【補正の内容】
【００１５】
（７）上記の目的を達成するために、本発明の内燃機関は、（１）又は（４）の内燃機関のシリンダライナ摺動面のｐＨ調整装置又は（２），（３），（５），（６）の何れかに記載の内燃機関のシリンダ注油装置を備えたことを特徴としている。
【手続補正６】
【補正対象書類名】明細書
【補正対象項目名】００１６
【補正方法】変更
【補正の内容】
【００１６】
本発明によれば、ｐＨ検出手段により検出されたシリンダライナの摺動面のｐＨ値が適正範囲に収まるようにｐＨ調整剤の供給量が調整されるので、燃料に含まれる硫黄分の多少にかかわらず、シリンダライナの摺動面のｐＨ値を適正範囲に維持することができる。
ｐＨ調整剤の供給量を、潤滑油流量検出手段によって検出された潤滑油流量に応じて決定した場合には、潤滑油流量に対するｐＨ調整剤の供給量の割合を適切な範囲に設定することができる。
また、油膜厚さ検出手段の検出結果に基づいて、油膜厚さが適正範囲に収まるように潤滑油の供給量が調整した場合には、シリンダライナの潤滑性能を良好に維持できる。